(57)【要約】【課題】  番組内で放送された内容に連動した商品情報を提供しつつ、しかも、ユーザの興味に極力マッチした内容の商品情報を提供する。【解決手段】  通信端末１０が、選択されたチャンネルをサーバ２０へ送信する。すると、サーバ２０では、選択されたチャンネルからその時点で放送されているＴＶ番組を番組情報２１に基づいて特定し、ＳＮＳサーバ３０のＡＰＩを利用してコミュニケーション領域を生成する。通信端末１０では発言の投稿が可能となっているが、投稿された発言は、コミュニケーション領域にて閲覧できる。このとき、サーバ２０では、投稿される発言に基づき、キーワードを取得し、当該キーワードによって、商品ＤＢ４０及び登録商品ＤＢ５０を検索する。これに対し、通信端末１０では、サーバ２０にて検索された商品の情報を表示する。【選択図】  図１
2012044364.tif 000002
【特許請求の範囲】
【請求項１】
通信端末と、当該通信端末とデータ通信を行うサーバとを備え、放送番組に連動した情報提供を行う放送連動システムであって、
前記通信端末は、
放送番組の選択情報を前記サーバへ送信する選択情報送信手段と、
発言を投稿するための投稿手段と、
投稿された発言が閲覧可能なコミュニケーション領域を表示するコミュニケーション領域表示手段と、
前記サーバにて検索された商品の情報を表示する商品情報表示手段と、を有し、
前記サーバは、
前記選択情報送信手段にて送信される前記選択情報に基づき、前記発言を表示するための前記コミュニケーション領域を、現に放送中の放送番組に対応させて生成するコミュニケーション領域生成手段と、
前記投稿手段にて投稿される前記発言に基づき商品を検索する商品検索手段と、を有していること
を特徴とする放送連動システム。
【請求項２】
請求項１に記載の放送連動システムにおいて、
前記選択情報送信手段は、チャンネル画像を表示し、ユーザによって選択されたチャンネルを前記選択情報として前記サーバへ送信すること
を特徴とする放送連動システム。
【請求項３】
請求項１又は２に記載の放送連動システムにおいて、
前記コミュニケーション領域生成手段は、ＡＰＩを利用して外部のサーバに前記コミュニケーション領域を生成すること
を特徴とする放送連動システム。
【請求項４】
請求項１〜３の何れか一項に記載の放送連動システムにおいて、
前記サーバは、前記放送番組のＣＭ放送に合わせ、当該ＣＭ放送に同期するように連動広告を設定する連動広告設定手段を有し、
前記通信端末は、前記連動広告設定手段にて設定される前記連動広告を表示する連動広告表示手段を有していること
を特徴とする放送連動システム。
【請求項５】
請求項１〜４の何れか一項に記載の放送連動システムにおいて、
前記商品検索手段は、前記発言から所定以上の頻度で出現するキーワードを取得し、当該取得したキーワードにて商品を検索すること
を特徴とする放送連動システム。
【請求項６】
請求項５に記載の放送連動システムにおいて、
前記商品検索手段は、広告主がキーワードとともに予め登録した商品を検索すること
を特徴とする放送連動システム。
【発明の詳細な説明】
【技術分野】
【０００１】
本発明は、放送連動システムに関する。
【背景技術】
【０００２】
従来、ＴＶ番組内で放送された内容と連動した広告を配信する広告配信装置が提案されている（例えば、特許文献１参照）。この装置では、Ｗｅｂコンテンツの受信要求を受け付けるとその受信要求がＴＶ番組を放送するＴＶ局からのものであることを特定し、当該Ｗｅｂコンテンツに対し、当該Ｗｅｂコンテンツを紹介したＴＶ番組の広告主の広告を関連付けて配信する。
【０００３】
つまり、ＴＶ番組で紹介されたＷｅｂコンテンツに対してはその後のユーザからの受信要求が多くなることが予想されるため、ＴＶ番組の広告主の広告を連動させて配信することで、その広告主の利益が図られるというわけである。また、ＷｅｂコンテンツのＴＶ番組での紹介頻度が増加するため、例えばＷｅｂコンテンツを作成する側もＴＶ番組での紹介を期待して意欲的にＷｅｂコンテンツを作成することが予想される。
【先行技術文献】
【特許文献】
【０００４】
【特許文献１】特開２０１０−１６６５２９号公報
【発明の概要】
【発明が解決しようとする課題】
【０００５】
しかしながら、ＴＶ番組で紹介されるＷｅｂコンテンツは、ＴＶ局側が選択するものであるため、ユーザの興味と完全にマッチするものとはならない。また、偏ったＷｅｂコンテンツが紹介される可能性も否定できない。結果として、Ｗｅｂコンテンツへのアクセスが伸び悩む虞があり、広告配信の効果が不十分になることが懸念される。
【０００６】
本発明は、上述した問題を解決するためになされたものであり、その目的は、番組内で放送された内容に連動した商品情報を提供しつつ、しかも、ユーザの興味に極力マッチした内容の商品情報を提供することにある。
【課題を解決するための手段】
【０００７】
上述した目的を達成するためになされた請求項１に記載の放送連動システムは、通信端末と、当該通信端末とデータ通信を行うサーバとを備え、放送番組に連動した情報提供を行うものである。ここでいう「放送」は、ＴＶ放送に限定されず、例えば、ラジオ放送などであってもよいし、インターネットなどを使ったネット放送であってもよい。
【０００８】
このとき、通信端末では、選択情報送信手段が、放送番組の選択情報をサーバへ送信する。すると、サーバでは、コミュニケーション領域生成手段が、選択情報に基づき、コミュニケーション領域を、放送番組に対応させて生成する。通信端末では投稿手段によって発言の投稿が可能となっているが、投稿された発言は、コミュニケーション領域にて閲覧できる。
【０００９】
ここで特に、サーバでは、商品検索手段が、投稿手段にて投稿される発言に基づき商品を検索する。これに対し、通信端末では、商品情報表示手段によって、検索された商品の情報が表示される。なお、ここでいう「商品」には、物品だけでなく、無形のサービスも含まれる。
【００１０】
つまり、本発明では、放送中の放送番組に対応するコミュニケーション領域をユーザへ提供し、このコミュニケーション領域で交わされるユーザの発言に基づいて、商品を検索するのである。具体的には、請求項５に示すように、商品検索手段は、発言から所定以上の頻度で出現するキーワードを取得し、当該取得したキーワードにて商品を検索することが例示される。
【００１１】
これにより、番組内で放送された内容に連動した商品情報を提供しつつ、しかも、ユーザの興味に極力マッチした内容の商品情報を提供することができる。
選択情報は放送番組に対応する情報であるため、例えば請求項２に示すように、チャンネル画像を表示し、ユーザによって選択されたチャンネルを選択情報としてサーバへ送信することが考えられる。このようにすれば、操作が容易になる。
【００１２】
ところで、コミュニケーション領域の情報は、いわゆるＣＧＭ（Consumer Generated Media）と呼ばれるものであればよい。すなわち、個人の情報発信をデータベース化し、メディア化したものである。一例としてＳＮＳ（Social Networking Service ）が挙げられる。そして、このようなＣＧＭはインターネット上に多数存在している。
【００１３】
そこで請求項３に示すように、コミュニケーション領域生成手段は、ＡＰＩ（Application Programming Interface）を利用して外部のサーバにコミュニケーション領域を生成することとしてもよい。このように外部のサーバに構築されたＳＮＳなどを利用すれば、コミュニケーション領域の生成が容易になり、システム構成が簡単になる。
【００１４】
商品検索の対象となる商品は、例えばアフィリエイト対象の商品であることが考えられる。この場合、各アフィリエイトサイトに準備されるＡＰＩを利用して、例えばキーワードにマッチする商品を検索することが考えられる。
【００１５】
一方、請求項６に示すように、キーワードとともに予め広告主が登録した商品を検索することが考えられる。この場合、例えば、サーバに商品登録用のインターフェースを準備し、当該インターフェースを利用して、広告主が、キーワードや、商品の特徴、商品の値段などを設定することで、データベースが構築される。このサーバは、本発明でいうところの「サーバ」であってもよいし、広告代理店などの外部のサーバであってもよい。このようにすれば、広告主は、番組で取り上げられるだろうテーマについてのキーワードで商品の広告を出稿することができる。
【００１６】
ところで、例えばＴＶ放送では、番組の途中に、ＣＭが放送される。そこで、請求項４に示すように、サーバでは、連動広告設定手段が、放送番組のＣＭ放送に合わせ、当該ＣＭ放送に同期するように連動広告を設定し、通信端末では、連動広告表示手段によって、連動広告が表示されるようにしてもよい。ここで、連動広告は、ＣＭ放送と同様の動画であってもよいし、バナーなどの静止画であってもよい。このようにすれば、ＣＭと同期した連動広告が通信端末に表示され、その広告効果が大きくなる。
【００１７】
なお、以上は、放送連動システムの発明として説明してきたが、通信端末の発明として、また、サーバの発明として具現化することもできる。
すなわち、通信端末は、放送番組に連動した情報提供を行う放送連動システムに用いられ、サーバとの間でデータ通信を行う通信端末であって、サーバは、発言を表示するためのコミュニケーション領域を、放送番組に対応させて生成するコミュニケーション領域生成手段と、投稿される発言に基づき商品を検索する商品検索手段とを有しており、前記放送番組の選択情報を前記サーバへ送信する選択情報送信手段と、発言を投稿するための投稿手段と、投稿された発言が閲覧可能なコミュニケーション領域を表示するコミュニケーション領域表示手段と、前記サーバにて検索された商品の情報を表示する商品情報表示手段と、を有していることを特徴とする。
【００１８】
また、サーバは、放送番組に連動した情報提供を行う放送連動システムに用いられ、通信端末との間でデータ通信を行うサーバであって、前記通信端末は、放送番組の選択情報を送信する選択情報送信手段と、発言を投稿するための投稿手段と、投稿された発言が閲覧可能なコミュニケーション領域を表示するコミュニケーション領域表示手段と、前記サーバにて検索された商品の情報を表示する商品情報表示手段と、を有しており、前記選択情報送信手段にて送信される前記選択情報に基づき、前記発言を表示するための前記コミュニケーション領域を、前記放送番組に対応させて生成するコミュニケーション領域生成手段と、前記投稿手段にて投稿される前記発言に基づき商品を検索する商品検索手段と、を有していることを特徴とする。
【００１９】
もちろん、これらの構成に対し、請求項２〜６に示したような放送連動システムと同様の構成を採用することも可能である。さらに、上述した構成の各種手段としてコンピュータシステムを機能させるプログラムの発明として実現することもできる。
【００２０】
なお、上述の構成ではいずれも、「現に放送中の放送番組に対応させて」コミュニケーション領域を生成することとしているが、放送番組に対応するコミュニケーション領域を予め生成しておき、放送中の番組に合わせて当該コミュニケーション領域を表示するようにしてもよい。そこで、「前記発言を表示するために放送予定の放送番組に対応させて前記コミュニケーション領域を予め生成するとともに、前記選択情報送信手段にて送信される前記選択情報に基づき、現に放送中の放送番組に対応させて前記コミュニケーション領域を閲覧可能にするコミュニケーション領域生成手段」を備えることとしてもよい。
【図面の簡単な説明】
【００２１】
【図１】放送連動システムを示すブロック図である。
【図２】通信端末でのチャンネル選択処理を示すフローチャートである。
【図３】サーバでのコミュニケーション領域生成処理を示すフローチャートである。
【図４】通信端末での投稿処理を示すフローチャートである。
【図５】サーバでの商品検索処理を示すフローチャートである。
【図６】サーバでの放送連動広告設定処理を示すフローチャートである。
【図７】通信端末での更新表示処理を示すフローチャートである。
【図８】画面イメージを示す説明図である。
【発明を実施するための形態】
【００２２】
以下、実施形態を図面に基づいて説明する。図１は、放送連動システム１を示すブロック図である。放送連動システム１は、通信端末１０と、サーバ２０とを備えている。
通信端末１０は、無線による通信機能を有し、情報表示画面と入力手段とを具備している。ここで入力手段は、情報表示画面と一体となったタッチパネルによるソフトキーボードであることが例示される。もちろん、機械的なキーボード装置であってもよい。具体的に通信端末１０は、携帯用デバイス、スマートフォン、携帯電話機などとして具現化される。通信端末１０は、Ｗｅｂブラウザ機能や、アプリケーションとしてダウンロードされるリモコンユーザインターフェースを利用して、サーバ２０に接続される。
【００２３】
サーバ２０は、インターネット上のコンピュータシステムである。サーバ２０は、指定されたチャンネルに対しその指定時刻に放送されているＴＶ番組を特定可能な番組情報２１を内部に記憶している。番組情報２１は、外部から取得して記憶するものとしてもよいし、サーバ２０側で独自に作成するようにしてもよい。
【００２４】
また、サーバ２０は、ＳＮＳサーバ３０、商品ＤＢ４０、及び、登録商品ＤＢ５０へのアクセスがインターネット経由で可能となるよう構成されている。
ＳＮＳサーバ３０は、ＳＮＳのためのサーバであり、具体的には、Ｔｗｉｔｔｅｒ、ｍｉｘｉ（登録商標）、Ｆａｃｅｂｏｏｋ（登録商標）、ＧＲＥＥ、モバゲータウンなどのサーバであることが例示される。ＳＮＳサーバ３０には、各種のサービスを利用するためのＡＰＩが用意されている。これにより、サーバ２０は、ＡＰＩを利用して、ＳＮＳサーバ３０に、後述するようなコミュニケーション領域を生成する。このコミュニケーション領域は、通信端末１０のユーザが自由に閲覧して発言できる領域である。
【００２５】
商品ＤＢ４０は、外部のサーバ内に準備されるＥコマース（電子商取引）サービスのための商品データベースである。具体的には、ａｍａｚｏｎ．ｃｏｍ（登録商標）、Ｙａｈｏｏ（登録商標）、楽天などのアフィリエイト商品のためのデータベースであることが考えられる。このようなアフィリエイトサイトにもＡＰＩが予め用意されているため、当該ＡＰＩを利用してサーバ２０からの商品検索が可能となる。なお、商品ＤＢ４０に記憶された商品を「通常商品」ということにする。もちろん、商品ＤＢ４０をサーバ２０の内部に構築してもよい。
【００２６】
登録商品ＤＢ５０は、外部の広告代理店のサーバ内に準備される商品データベースである。この登録商品ＤＢ５０には、広告主が広告出稿した商品が記憶されている。広告主は、予め商品検索のためのキーワード、商品の特徴、商品の値段などを設定しておく。もちろん、商品ＤＢ４０と同様、登録商品ＤＢ５０をサーバ２０の内部に構築するようにしてもよい。その場合、サーバ２０側で予め用意されるインターフェースを介し、広告主がキーワードなどを入力することになる。
【００２７】
このような放送連動システム１では、最初に通信端末１０からチャンネル選択が行われ、このチャンネル選択をトリガーとして、サーバ２０にてコミュニケーション領域が生成される。そこで次に、通信端末１０におけるチャンネル選択処理を説明する。図２は、チャンネル選択処理を示すフローチャートである。このチャンネル選択処理は、通信端末１０のアプリケーション起動時に、繰り返し実行される。
【００２８】
最初のＳ１００では、チャンネル表示が行われる。次のＳ１１０では、チャンネルが選択されたか否かが判断される。ここでチャンネルが選択されたと判断された場合（Ｓ１１０：ＹＥＳ）、Ｓ１２０へ移行する。一方、チャンネルが選択されていないと判断された場合（Ｓ１１０：ＮＯ）、Ｓ１２０の処理を実行せず、チャンネル選択処理を終了する。
【００２９】
Ｓ１２０では、選択されたチャンネルをサーバ２０へ送信する。Ｓ１２０の処理終了後、チャンネル選択処理を終了する。
次にサーバ２０にて実行されるコミュニケーション領域生成処理を説明する。図３は、コミュニケーション領域生成処理を示すフローチャートである。このコミュニケーション領域生成処理は、サーバ２０にて繰り返し実行される。
【００３０】
最初のＳ２００では、チャンネル送信があったか否かを判断する。図２中のＳ１２０にて通信端末１０から選択されたチャンネルが送信されると、肯定判断される。ここでチャンネル送信があったと判断された場合（Ｓ２００：ＹＥＳ）、Ｓ２１０へ移行する。一方、チャンネル送信がないと判断された場合（Ｓ２００：ＮＯ）、以降の処理を実行せず、コミュニケーション領域生成処理を終了する。
【００３１】
Ｓ２１０では、ＴＶ放送情報を取得する。この処理は、サーバ２０内に記憶された番組情報２１を参照し、現時点におけるＴＶ放送の情報を取得するものである。ここでは、ＴＶ番組名、番組開始時刻、及び、番組終了時刻を取得するものとする。
【００３２】
Ｓ２２０では、Ｓ２１０にて取得したＴＶ番組に対応するコミュニケーション領域がすでに存在するか否かを判断する。ここでコミュニケーション領域があると判断された場合（Ｓ２２０：ＹＥＳ）、Ｓ２３０の処理を実行せず、コミュニケーション領域生成処理を終了する。一方、コミュニケーション領域がないと判断された場合（Ｓ２２０：ＮＯ）、Ｓ２３０へ移行する。
【００３３】
Ｓ２３０では、コミュニケーション領域を生成する。この処理は、ＳＮＳサーバ３０に用意されているＡＰＩを利用して、ユーザが発言するための領域を生成するものである。なお、ＡＰＩを利用せず、例えばサーバ２０内に独自で、このような領域を生成するようにしてもよい。このコミュニケーション領域は、ＴＶ番組ごとに生成される。そして、Ｓ２１０で取得される番組終了時刻になると、閉じられる。Ｓ２３０の処理終了後、コミュニケーション領域生成処理を終了する。
【００３４】
通信端末１０において、ユーザは、放送中のＴＶ番組に対する自らの意見をコミュニケーション領域へ投稿する。これを実現するのが、通信端末１０における投稿処理である。そこで次に、通信端末１０における投稿処理を説明する。図４は、投稿処理を示すフローチャートである。この投稿処理も、通信端末１０にて繰り返し実行される。
【００３５】
最初のＳ３００では、入力された文字列を取得する。この処理は、通信端末１０の入力手段を介して入力される文字列を取得するものである。
Ｓ３１０では、入力文字列の送信要求があったか否かを判断する。ここで送信要求があったと判断された場合（Ｓ３１０：ＹＥＳ）、Ｓ３２０にてサーバ２０へ入力文字列を送信する。これにより、コミュニケーション領域内のユーザによる発言が更新されることになる。Ｓ３２０の送信処理終了後、投稿処理を終了する。一方、送信要求がないと判断された場合（Ｓ３１０：ＮＯ）、Ｓ３２０の処理を実行せず、投稿処理を終了する。
【００３６】
コミュニケーション領域では、現に放送中のＴＶ番組に対し、ユーザ同士の意見交換が行われることになる。この意見交換は、ＴＶ番組のテーマに関するものだけでなく、例えばそのテーマに付随したテーマとなることも予想される。
【００３７】
サーバ２０では、コミュニケーション領域におけるユーザの発言に基づき、商品検索を実行する。そこで次に、サーバ２０における商品検索処理を説明する。図５は、商品検索処理を示すフローチャートである。この商品検索処理は、サーバ２０によって繰り返し実行される。
【００３８】
最初のＳ４００では、発言があるか否かを判断する。この処理では、ユーザからの投稿が行われている場合に、肯定判断される。ここで発言があると判断された場合（Ｓ４００：ＹＥＳ）、Ｓ４１０へ移行する。一方、発言がないと判断された場合（Ｓ４００：ＮＯ）、すなわちユーザからの投稿が行われていない場合には、以降の処理を実行せず、商品検索処理を終了する。
【００３９】
Ｓ４１０では、キーワードを取得する。この処理は、ユーザによる発言内容を単語単位に分解し、それら単語の中で頻出度合いが比較的大きな単語をキーワードとして抽出するものである。
【００４０】
次のＳ４２０では、登録商品があるか否かを判断する。広告主の操作によって登録商品ＤＢ５０に登録商品が予め記憶されることは、既に述べた。ここで登録商品があると判断された場合（Ｓ４２０：ＹＥＳ）、Ｓ４３０にて登録商品を検索する。この処理は、Ｓ４１０にて取得されたキーワードにより、登録商品ＤＢ５０に記憶された登録商品を検索するものである。そして、Ｓ４３０の処理終了後、Ｓ４４０へ移行する。一方、登録商品がないと判断された場合（Ｓ４２０：ＮＯ）、Ｓ４３０の処理を実行せず、Ｓ４４０へ移行する。
【００４１】
Ｓ４４０では、通常商品を検索する。この処理は、Ｓ４１０にて取得したキーワードにより、ＡＰＩを利用して商品ＤＢ４０を検索するものである。
続くＳ４５０では、商品情報の更新設定を行う。この処理は、Ｓ４３０，Ｓ４４０の検索の結果に応じて商品情報を更新設定するものである。Ｓ４５０の更新設定処理終了後、商品検索処理を終了する。
【００４２】
次に、サーバ２０における放送連動広告設定処理を説明する。図６は、放送連動広告設定処理を示すフローチャートである。この放送連動広告設定処理は、サーバ２０にて繰り返し実行される。
【００４３】
最初のＳ５００にて、図３中のＳ２１０で特定されるＴＶ番組にてＣＭ放送中であるか否かを判断する。この判断は、例えばＴＶ放送を実際にサーバ２０にて受信することにより、受信音声の情報などから行うことが例示される。あるいは、図３中のＳ２１０にてＣＭ放送の開始時刻及び終了時刻をも取得するようにし、取得された時刻との比較で判断するようにしてもよい。ここでＣＭ放送中であると判断された場合（Ｓ５００：ＹＥＳ）、Ｓ５１０にて連動広告を設定し、その後、放送連動広告設定処理を終了する。一方、ＣＭ放送中でないと判断された場合（Ｓ５００：ＮＯ）、Ｓ５１０の処理を実行せず、放送連動広告設定処理を終了する。
【００４４】
Ｓ５１０の連動広告は、ＣＭ放送に合わせて設定されるものであり、動画であってもよいし、バナーなどの静止画であってもよい。例えば、自動車の宣伝、コーヒーの宣伝、化粧品の宣伝、という具合に３０秒ずつのＣＭが放送される場合、自動車の宣伝動画、コーヒーの宣伝動画、化粧品の宣伝動画を３０秒ずつ切り替え同期させるように設定するという具合である。
【００４５】
通信端末１０は、定期的にサーバ２０へアクセスし、サーバ２０での更新を受けて画面表示を更新する。そこで次に、通信端末１０における更新表示処理を説明する。図７は、更新表示処理を示すフローチャートである。この更新表示処理は、通信端末１０にて繰り返し実行される。
【００４６】
最初のＳ６００では、コミュニケーション領域が更新されたか否かを判断する。ここでコミュニケーション領域が更新されたと判断された場合（Ｓ６００：ＹＥＳ）、Ｓ６１０にてコミュニケーション領域を更新表示し、その後、Ｓ６２０へ移行する。これにより、通信端末１０では、ユーザによる発言がほぼリアルタイムに閲覧できる。一方、コミュニケーション領域が更新されていないと判断された場合（Ｓ６００：ＮＯ）、Ｓ６１０の処理を実行せず、Ｓ６２０へ移行する。
【００４７】
Ｓ６２０では、商品情報が更新されたか否かを判断する。ここで商品情報が更新されたと判断された場合（Ｓ６２０：ＹＥＳ）、Ｓ６３０にて商品情報を更新表示し、その後、Ｓ６４０へ移行する。一方、商品情報が更新されていないと判断された場合（Ｓ６２０：ＮＯ）、Ｓ６３０の処理を実行せず、Ｓ６４０へ移行する。
【００４８】
Ｓ６４０では、連動広告が更新されたか否かを判断する。ここで連動広告が更新されたと判断された場合（Ｓ６４０：ＹＥＳ）、Ｓ６５０にて連動広告を更新表示し、その後、更新表示処理を終了する。連動広告は上述したようにＣＭ放送に同期するように設定されるため、連動広告の更新表示により、ＣＭ放送に同期して動画などが表示される。一方、連動広告が更新されていないと判断された場合（Ｓ６４０：ＮＯ）、Ｓ６５０の処理を実行せず、更新表示処理を終了する。
【００４９】
以上、通信端末１０とサーバ２０とによる各種処理について説明した。ここでの説明に対する理解を容易にするため、具体例を挙げて説明を加える。
図８は、通信端末１０の画面イメージを示す説明図である。図８（ａ）は、ｉＰａｄ（登録商標）の画面Ｇを示している。また、図８（ｂ）は、スマートフォンや携帯電話機の画面ＭＧを示している。
【００５０】
図８（ａ）では、画面Ｇに、チャンネル画像Ｇ１、コミュニケーション領域Ｇ２、登録商品領域Ｇ３、通常商品領域Ｇ４、及び、連動広告領域Ｇ５が表示される様子を示している。
【００５１】
通信端末１０においてチャンネル選択が行われる以前の段階では、例えば、チャンネル画像Ｇ１のみが表示される（図２中のＳ１００）。
ここで、お昼の１２時過ぎにチャンネル「８」がタップされたものとする。すると、その選択されたチャンネル「８」がサーバ２０へ送信される（Ｓ１１０：ＹＥＳ，Ｓ１２０）。
【００５２】
サーバ２０では、通信端末１０からチャンネル「８」が送信されてくると、ＴＶ放送情報を取得する（図３中のＳ２００：ＹＥＳ，Ｓ２１０）。ここで、例えば、「笑っていいとも」などの番組タイトルに加え、番組開始時刻、番組終了時刻が取得されることになる。
【００５３】
そして、コミュニケーション領域がない場合（図３中のＳ２２０：ＮＯ）、コミュニケーション領域が生成される（Ｓ２３０）。これにより、通信端末１０の更新表示処理では、コミュニケーション領域が更新されたと判断されて（図７中のＳ６００：ＹＥＳ）、コミュニケーション領域が更新表示される（Ｓ６１０）。
【００５４】
その後、通信端末１０にて投稿処理が実行されると（図４中のＳ３２０）、サーバ２０ではＡＰＩを介してコミュニケーション領域を更新する。なお、ＡＰＩを介さず、独自で生成したコミュニケーションの領域を更新するようにしてもよい。これに伴って、通信端末１０では、コミュニション領域の更新表示を行う（図７中のＳ６００：ＹＥＳ，Ｓ６１０）。これにより、図８（ａ）のコミュニケーション領域Ｇ２に、ユーザによる発言が増えていくことになる。
【００５５】
サーバ２０では、コミュニケーション領域Ｇ２のユーザによる発言を基に、キーワードを抽出して（図５中のＳ４１０）、登録商品の検索を行い（Ｓ４３０）、また、ＡＰＩを用いて通常商品の検索を行う（Ｓ４４０）。そして、商品情報の更新設定を行う（Ｓ４５０）。これにより、通信端末１０の更新表示処理では、商品情報が更新されたことが判断されて（図７中のＳ６２０：ＹＥＳ）、商品情報が更新表示される（Ｓ６３０）。これらの商品情報は、図８（ａ）の登録商品領域Ｇ３及び通常商品領域Ｇ４に表示される。例えば、商品画像と特徴、値段などが表示されるという具合である。
【００５６】
また、サーバ２０ではＣＭ放送中であることを判断すると（図６中のＳ５００：ＹＥＳ、連動広告を設定する（Ｓ５１０）。これにより、通信端末１０の更新表示処理では、連動広告が更新されたことが判断されて（図７中のＳ６４０：ＹＥＳ）、連動広告が更新表示される（Ｓ６５０）。連動広告は、図８（ａ）の連動広告領域Ｇ５に表示される。例えば、ＣＭ放送に同期して動画などが再生されるという具合である。
【００５７】
以上詳述したように、本実施形態では、通信端末１０が、選択されたチャンネルをサーバ２０へ送信する（図２中のＳ１１０：ＹＥＳ，Ｓ１２０）。すると、サーバ２０では、選択されたチャンネルからその時点で放送されているＴＶ番組を特定し（図３中のＳ２００：ＹＥＳ，Ｓ２１０）、コミュニケーション領域を生成する（Ｓ２２０：ＮＯ，Ｓ２３０）。通信端末１０では発言の投稿が可能となっているが（図４参照）、投稿された発言は、コミュニケーション領域にて閲覧できる（図７中のＳ６００，Ｓ６１０）。このとき、サーバ２０では、投稿される発言に基づき、キーワードを取得し（図５中のＳ４１０）、当該キーワードによって、商品を検索する（Ｓ４３０，Ｓ４４０）。通信端末１０では、サーバ２０にて検索された商品の情報を表示する（図７中のＳ６２０：ＹＥＳ，Ｓ６３０）。つまり、放送番組に対応するコミュニケーション領域をユーザへ提供し、このコミュニケーション領域で交わされるユーザの発言に基づいて、商品を検索するのである。これにより、番組内で放送された内容に連動した商品情報を提供しつつ、しかも、ユーザの興味に極力マッチした内容の商品情報を提供することができる。
【００５８】
また、本実施形態では、チャンネル表示を行い（図２中のＳ１００）、このチャンネル表示に基づくチャンネルをサーバ２０へ送信する（Ｓ１１０：ＹＥＳ，Ｓ１２０）。これにより、ユーザの操作が簡単になっている。
【００５９】
さらにまた、本実施形態では、サーバ２０が、外部のＳＮＳサーバ３０（図１参照）に対しＡＰＩを利用してコミュニケーション領域を生成している。これにより、コミュニケーション領域の生成が容易になり、システム構成が簡単になる。
【００６０】
また、本実施形態では、ＡＰＩを利用して通常商品の検索を行うとともに（図５中のＳ４４０）、登録商品がある場合（Ｓ４２０：ＹＥＳ）、登録商品の検索を行っている（Ｓ４３０）。この登録商品は、広告主がキーワードとともに予め登録した商品である。このようにすれば、広告主は、番組で取り上げられるであろうテーマについてのキーワードで商品の広告を出稿することができる。
【００６１】
さらにまた、本実施形態では、サーバ２０が、特定したＴＶ番組においてＣＭ放送中であるか否かを判断し（図６中のＳ５００）、ＣＭ放送に同期させるように連動広告を設定する（Ｓ５１０）。通信端末１０は、連動広告が更新されると（図７中のＳ６４０）、当該連動広告を表示する（Ｓ６５０）。これにより、ＣＭと同期した連動広告が通信端末１０に表示され、その広告効果が大きくなる。
【００６２】
なお、本実施形態における放送連動システム１が「放送連動システム」に相当し、通信端末１０が「通信端末」に相当し、サーバ２０が「サーバ」に相当する。
また、通信端末１０の備えるＣＰＵが「選択情報送信手段」、「投稿手段」、「コミュニケーション領域表示手段」、「商品情報表示手段」及び「連動広告表示手段」に相当する。そして、図２に示したチャンネル選択処理が「選択情報送信手段」の機能としての処理に相当し、図４の投稿処理が「投稿手段」の機能としての処理に相当し、図７中のＳ６００及びＳ６１０が「コミュニケーション領域表示手段」の機能としての処理に相当し、Ｓ６２０及びＳ６３０が「商品情報表示手段」の機能としての処理に相当し、Ｓ６４０及びＳ６５０が「連動広告表示手段」の機能としての処理に相当する。
【００６３】
さらにまた、サーバ２０の備えるＣＰＵが「コミュニケーション領域生成手段」、「商品検索手段」及び「連動広告設定手段」に相当する。そして、図３のコミュニケーション領域生成処理が「コミュニケーション領域生成手段」の機能としての処理に相当し、図５の商品検索処理が「商品検索手段」の機能としての処理に相当し、図６の放送連動広告設定処理が「連動広告設定手段」の機能としての処理に相当する。
【００６４】
以上、本発明は、上述した実施形態に何ら限定されるものではなく、その要旨を逸脱しない範囲において、種々なる形態で実施できる。
（イ）上記実施形態では図８（ａ）を用い比較的大きな表示画面の例を説明したが、例えばスマートフォンや携帯電話など比較的小さな表示画面の場合、図８（ｂ）及び（ｃ）に示すような画面イメージにすることが考えられる。
【００６５】
この場合、最初は図８（ｂ）に示すように、チャンネル画像ＭＧ１と連動広告領域ＭＧ５とが画面ＭＧに表示される。そして、ユーザによってチャンネル選択がなされると、図８（ｃ）に示すように、コミュニケーション領域ＭＧ２、登録商品領域ＭＧ３、及び、通常商品領域ＭＧ４が表示された画面ＭＧ’に切り換わる。そして、ＣＭ放送中には、連動広告領域ＭＧ５を表示するため、再度、画面ＭＧに切り換わる。
【００６６】
（ロ）上記実施形態では、コミュニケーション領域の生成にＳＮＳサーバ３０を利用しており、ＳＮＳを例に挙げている。ただし、ＳＮＳには限定されず、ＣＧＭがコンテンツとなり得るＷｅｂサイトを利用すればよい。また、外部のサーバを利用せず、サーバ２０の内部にコミュニケーション領域を自ら生成するようにしてもよい。
【００６７】
（ハ）上記実施形態では、ＴＶ放送を例に挙げたが、ラジオ放送や、インターネット上のネット放送などであってもよい。
（ニ）上記実施形態では、サーバ２０が、選択されたチャンネルからその時点で放送されているＴＶ番組を特定し（図３中のＳ２００：ＹＥＳ，Ｓ２１０）、コミュニケーション領域を生成する（Ｓ２２０：ＮＯ，Ｓ２３０）。これに対し、放送予定のＴＶ番組に対応するコミュニケーション領域を予め生成しておき、選択されたチャンネルからその時点で放送されているＴＶ番組に対応するコミュニケーション領域を閲覧可能にしてもよい。
【符号の説明】
【００６８】
１０：通信端末
２０：サーバ
２１：番組情報
３０：ＳＮＳサーバ
４０：商品ＤＢ
５０：登録商品ＤＢ
【図１】
2012044364.tif 000003
【図２】
2012044364.tif 000004
【図３】
2012044364.tif 000005
【図４】
2012044364.tif 000006
【図５】
2012044364.tif 000007
【図６】
2012044364.tif 000008
【図７】
2012044364.tif 000009
【図８】
2012044364.tif 000010